(57)【特許請求の範囲】
【請求項１】
相手部材の取付穴に圧入されて前記相手部材の内側表面に密着する内側鍔部と、前記相手部材の取付穴の内周面に密着する胴部と、前記相手部材の外側表面に密着する環状リップ部を有する傘状の外側鍔部と、中心部に形成されたコードを通す貫通穴と、前記貫通穴の外側鍔部の部分に対応するコード密着部に形成された環状溝部とを備え、前記コードが曲がった方向と反対側の外側鍔部の先端部と前記コードとの間から侵入した水滴は、水溜り部として機能する前記環状溝部で留まり、前記水滴が前記コード密着部と前記コードとの間から前記内側鍔部方向へ浸透するのを防止することを特徴とするコードブッシング。
【発明の詳細な説明】
【０００１】
【発明の属する技術分野】
本発明は、電子機器装置において、コード類を装置外に導出する際に挿通穴に取り付けて使用するコードブッシングに関する。
【０００２】
【従来の技術】
例えば、不審者等を監視するための監視カメラ装置は、装置本体部は、監視を必要とする建物の内部または外部に取り付けられ、その装置本体から導出されたコードを別の監視室に配置されたモニタまで配線して、監視室で係員がモニタを見ながら監視を行っている。この種の監視カメラ装置は、外部に設置される場合には、雨水がかかっても機能が損なわれることがないように、また室内に設置される場合には、清掃時に水がかかっても大丈夫なように、防水構造を備えている。また、装置から引き出されるコード類を通じて内部に雨水が浸入しないように、コード類はコードブッシングを通して引き出されている。
【０００３】
【発明が解決しようとする課題】
しかしながら、従来のコードブッシングは、圧力の高い水がかかったり、コードを曲げた状態で保持された場合にコードとの間に隙間が生じて、十分な防水性能が得られないことがあった。例えば上記のような監視カメラ装置の場合、防水性能の確認のために装置にジェット水流を噴射する試験を行っており、また、監視カメラ装置を取り付ける際に、コードを曲げた状態で引き回すことがあり、コードとコードブッシングの間に隙間が生じることがあった。
【０００４】
本発明は、このような従来の問題を解決するものであり、高い防水性能を有するコードブッシングを提供することを目的とする。
【０００５】
本発明のコードブッシングは、相手部材の取付穴に圧入されて前記相手部材の内側表面に密着する内側鍔部と、前記相手部材の取付穴の内周面に密着する胴部と、前記相手部材の外側表面に密着する環状リップ部を有する傘状の外側鍔部と、中心部に形成されたコードを通す貫通穴と、前記貫通穴の外側鍔部の部分に対応するコード密着部に形成された環状溝部とを備え、前記コードが曲がった方向と反対側の外側鍔部の先端部と前記コードとの間から侵入した水滴は、水溜り部として機能する前記環状溝部で留まり、前記水滴が前記コード密着部と前記コードとの間から前記内側鍔部方向へ浸透するのを防止することを特徴とするものであり、外側鍔部が環状リップ部を有する傘状に形成されているため、外部から圧力の高い水がかかった場合に、その水圧により傘状の環状リップ部が相手部材の外側表面に強く密着するので、防水性能をより高めることができる。また、貫通穴に挿通されたコード類の曲がりにより外側鍔部の部分が変形した場合に、貫通穴に形成された環状溝部によりその変形圧力を吸収することができるので、貫通穴のコード密着部とコードとの間の密着性に悪影響を及ぼすことがなく、防水性能を維持することができる。さらに、環状溝部が水溜り部として機能するので、水滴がコード密着部とコードとの間から内側方向へ浸透するのを防止することができる。
【０００８】
【発明の実施の形態】
以下、本発明の実施の形態について図面を参照して説明する。図１は本発明のコードブッシングを備えた監視カメラ装置の本体組立体１とドーム組立体２の分解斜視図である。図１において、本体組立体１は、上面に幅広の鍔部３ａを有し、下部に円筒部３ｂを有する台状の本体部３と、円筒部３ｂの上部に取り付けられたカメラユニット４を有し、鍔部３ａの外周のガイド部３ｃにドーム組立体２が嵌め込まれる。平面状の鍔部３ａは補強壁３ｄにより補強されている。ドーム組立体２は、厚さ３．５ｍｍ程度のポリカーボネート樹脂製のフルスモーク処理したドーム５と、ドーム５の下部を覆うカバー６とで構成され、３個の取付ねじ７が、カバー６の各取付穴８を通して本体組立体１の各ねじ穴９にねじ止めされる。
【０００９】
図２は本体組立体１の分解斜視図である。図２において、本体部３の円筒部３ｂの内部には、ブラケット１０により両側で主回路基板１１が取り付けられている。主回路基板１１には、ハーネス１２を介して各種調整スイッチ１３が接続されるとともに、監視モニタ出力用の制御コード１４および電源コード１５がそれぞれコードブッシング１６、１７を介して外部へ導出されている。
【００１０】
本体部３の補強壁３ｄ内側の鍔部３ａには、等間隔に３個の鼓型のガイドローラ１８、１９、２０が回転可能に取り付けられている。ガイドローラ１８、１９は、図３に示すように、鍔部３ａから突設されたスタッド２１、２２に嵌め込まれ、その上からねじ２３、２４により回転可能に取り付けられている。ガイドローラ２０はテンションローラであり、断面コ字形のレバー２５の一端部にガイドローラ２０がねじ２６により回転可能の取り付けられ、レバー２５の他端部が、鍔部３ａから突設されたスタッド２７に捩りコイルばね２８を介して、半径方向内側に押圧付勢されながらねじ２９により回転可能に取り付けられる。
【００１１】
図２において、カメラユニット４は、筐体３０内の上端部に配置された撮影レンズ３１とその内部の焦点位置に配置されたＣＣＤセンサおよびその回路基板とを有し、筐体３０と一体の調整つまみ３２の下部が円筒リング状の回転台３３に嵌め込まれて回転可能（ヨー軸回転）に取り付けられている。筐体３０内部の回路基板からはハーネス３４、３５が導出され、その先端部にそれぞれコネクタ３６、３７が接続されて、本体部３の主回路基板１１に接続される。回転台３３の直径方向の両側には、立ち上がり片３３ａ、３３ｂが形成されて、その下方に配置された回転ブラケット３８の支柱３９および４０に回転可能に支持されている。回転ブラケット３８の外周面は、本体部３のガイドローラ１８、１９、２０に水平方向に回転可能（パン軸回転）に支持される。
【００１２】
回転ブラケット３８は、図４に示すように、中空のドーナツ円板状に形成され、その直径方向の両側には、一体の支柱３９とねじにより固定された別体の支柱４０とが立設されている。各支柱３９、４０には、その縦方向（長手方向）に長穴４１、４２が形成され、支柱３９の長穴４１には、軸部とねじ部を有する軸ねじ４３が、外側から内側に向けて捩りコイルばね４４の上部止め環４４ａを介して挿通され、回転台３３の立ち上がり片３３ａに形成されたねじ穴４５に締結される。捩りコイルばね４４の下部止め環４４ｂは、小型の軸ねじ４６により支柱３９に固定される。上部止め環４４ａと下部止め環４４ｂは、それぞれ所定の間隙をもって軸ねじ４３、４６の軸部に挿通されるので回転可能である。他方の支柱４０の長穴４２には、軸ねじ４７が、外側から内側に向けて捩りコイルばね４８の上部止め環４８ａを介して挿通され、さらにチルトプレート４９の通し穴４９ａを通して、回転台３３の立ち上がり片３３ｂに形成されたねじ穴５０に締結される。これにより、回転台３３すなわち筐体３０は、回転ブラケット３８に対して垂直方向に回転可能（チルト軸回転）に支持される。捩りコイルばね４８の下部止め環４８ｂは、小型の軸ねじ５１により支柱４０に回動可能に固定される。チルトプレート４９は、通し穴４９ａを含む縦方向に支柱４０の幅とほぼ同じ幅の縦溝４９ｂを有し、またその下部には横方向に円弧状のガイド穴４９ｃが形成されている。チルトプレート４９は、縦溝４９ｂを支柱４０に嵌め込むことにより回り止めが施され、また回転台３３の立ち上がり片３３ｂに突設されたガイドピン５２にガイド穴４９ｃを合わせることにより、回転台３３すなわち筐体３０の回転ブラケット３８に対するチルト角の範囲が規制される。
【００１３】
この監視カメラ装置の作用について説明すると、図２において、まずカメラユニット４のコネクタ３６、３７を、本体部３の主回路基板１１に設けられた所定のコネクタに接続する。次に、テンションローラであるガイドローラ２０を、そのレバー２５を外側方向に退避させて、その状態を保持しながらカメラユニット４を本体部３の中に挿入し、カメラユニット４の回転ブラケット３８の外周面をガイドローラ１８、１９に係合させた後、レバー２５を戻してガイドローラ２０を回転ブラケット３８の外周面に係合させる。これにより、回転ブラケット３８は、ガイドローラ２０の捩りコイルばね２８のばね力により強く押圧されるので、カメラユニット４は、制動力を受けながら水平方向に回転可能になり、パン軸調整が可能になる。また、カメラユニット４は、軸ねじ４３、４７を中心に回動させることにより、垂直方向に回転可能になり、チルト軸調整が可能になる。したがって、この監視カメラ装置を天井または壁面に取り付けた状態で、入口などの監視方向をパン軸調整およびチルト軸調整を行って定め、パン位置を押え板により固定し、チルト位置を軸ねじ４３、４７を締め付けることにより固定する。この監視カメラ装置を壁面に取り付けた場合は、パン、チルト調整に伴い、映像が傾くのでこれを正立させるために、筐体３０の調整つまみ３２を回してヨー軸調整を行う。これらの調整は、取付工事の際に作業員が現場でモニタを見ながら行う。
【００１４】
次に、コードブッシング１６、１７について図５を用いて説明する。両者は同形状なのでコードブッシング６１として説明する。図５（ａ）に示すように、コードブッシング６１は、ＥＰＤＭゴム材料で一体に成形され、本実施の形態では本体部３の円筒部３ｂである相手部材６２の取付穴６３に圧入されて、相手部材６２の内側表面に密着する内側鍔部６４と、相手部材６２の取付穴６３の内周面に密着する胴部６５と、相手部材６２の外側表面に密着する環状リップ部６６ａを有する傘状の外側鍔部６６と、中心部に形成された貫通穴６７と、貫通穴６７の外側鍔部６６部分に対応するコード密着部６７ａに形成された環状溝部６８とを備えている。
【００１５】
コードブッシング６１の作用について説明すると、外側鍔部６６の環状リップ部６６ａは、自由状態において相手部材６２の厚さ寸法よりも内側に入り込んでいる。したがって、図５（ｂ）に示すように、内側鍔部６４を相手部材６２の取付穴６３に外側方向から圧入すると、内側鍔部６４が相手部材６２の内側表面６２ａに密着するとともに、外側鍔部６６の環状リップ部６６ａが押し広げられて相手部材６２の外側表面６２ｂに強く密着する。この状態で、コード６９（コードを通したチューブを含む。）を貫通穴６７を通して内側から外側へ引き出すことにより、貫通穴６７のコード密着部６７ａがコード６９の表面に密着する。したがって、この状態で防水テストのために外側からジェット水流をかけても、図６（ａ）に示すように、水圧により外側鍔部６６の環状リップ部６６ａがより強く相手部材６２の外側表面６２ｂに押し付けられるので、防水性能が一層向上することになる。
【００１６】
また、図６（ｂ）に示すように、コード６９の引き回しのためにコード６９が曲げられた場合は、環状溝部６８があるために外側鍔部６６の先端部が、曲げられたコード６９の移動に追随して変形するので、貫通穴６７のコード密着部６７ａとコード６９との間の密着状態に悪影響を及ぼすことがなく、防水性能を維持することができる。また、この場合に、コード６９が曲がった方向とは反対側の外側鍔部６６の先端部とコード６９との間に隙間ができるが、その隙間から水滴７０が浸入しても、環状溝部６８が水溜り部として機能するので、水滴７０がコード密着部６７ａとコード６９との間から内側方向へ浸透するのを防止することができる。
【００１７】
このように、本実施の形態におけるコードブッシング６１は、外側鍔部６６が環状リップ部６６ａを有する傘状に形成されているため、外部から圧力の高い水がかかった場合に、その水圧により傘状の環状リップ部６６ａが相手部材６２の外側表面に強く密着するので、防水性能をより高めることができる。また、貫通穴６７に挿通されたコード６９の引き回しのために外側鍔部６６の部分が変形した場合にも、貫通穴６７のコード密着部６７ａに形成された環状溝部６８によりその変形圧力を吸収することができるので、コード密着部６７ａとコード６９との間の密着性に悪影響を及ぼすことがなく、防水性能を維持することができる。さらに、環状リップ部６６ａが追随性に富んでいるので、相手部材６２が本実施の形態のように円筒面であっても多少の凹凸があっても、良好な防水性能を得ることができる。
【００１８】
以上説明したように、本発明のコードブッシングは、相手部材の取付穴に圧入されて相手部材の内側表面に密着する内側鍔部と、相手部材の取付穴の内周面に密着する胴部と、相手部材の外側表面に密着する環状リップ部を有する傘状の外側鍔部と、中心部に形成されたコードを通す貫通穴と、前記貫通穴の外側鍔部の部分に対応するコード密着部に形成された環状溝部とを備え、前記コードが曲がった方向と反対側の外側鍔部の先端部と前記コードとの間から侵入した水滴は、水溜り部として機能する前記環状溝部で留まり、前記水滴が前記コード密着部と前記コードとの間から前記内側鍔部方向へ浸透するのを防止することを特徴とするものであり、外側鍔部が環状リップ部を有する傘状に形成されているため、外部から圧力の高い水がかかった場合に、その水圧により傘状の環状リップ部が相手部材の外側表面に強く密着するので、防水性能をより高めることができる。また、貫通穴に挿通されたコード類の曲がりにより外側鍔部の部分が変形した場合に、貫通穴に形成された環状溝部によりその変形圧力を吸収することができるので、貫通穴のコード密着部とコードとの間の密着性に悪影響を及ぼすことがなく、防水性能を維持することができる。さらに、環状溝部が水溜り部として機能するので、水滴がコード密着部とコードとの間から内側方向へ浸透するのを防止することができる。
【図面の簡単な説明】
【図１】本発明の実施の形態における監視カメラ装置の本体組立体とドーム組立体の分解斜視図
【図２】本発明の実施の形態における本体部とカメラユニットの分解斜視図
【図３】本発明の実施の形態におけるガイドローラの分解斜視図
【図４】本発明の実施の形態におけるカメラユニットの分解斜視図
【図５】（ａ）本発明の実施の形態におけるコードブッシングの断面図
（ｂ）本発明の実施の形態におけるコードブッシングの取付断面図
【図６】（ａ）本発明の実施の形態におけるコードブッシングの作用を説明する取付断面図
（ｂ）本発明の実施の形態におけるコードブッシングの作用を説明する取付断面図
【符号の説明】
１  本体組立体
２  ドーム組立体
３  本体部
４  カメラユニット
５  ドーム
６  カバー
７  取付ねじ
８  取付穴
９  ねじ穴
１０  ブラケット
１１  主回路基板
１２  ハーネス
１３  各種スイッチ
１４  制御コード
１５  電源コード
１６、１７  コードブッシング
１８、１９  ガイドローラ
２０  ガイドローラ（テンションローラ）
２１、２２  スタッド
２３、２４  ねじ
２５  レバー
２６  ねじ
２７  スタッド
２８  捩りコイルばね
２９  ねじ
３０  筐体
３１  撮影レンズ
３２  調整つまみ
３３  回転台
３４、３５  ハーネス
３６、３７  コネクタ
３８  回転ブラケット
３９、４０  支柱
４１、４２  長穴
４３  軸ねじ
４４  捩りコイルばね
４５  ねじ穴
４６  軸ねじ
４７  軸ねじ
４８  捩りコイルばね
４９  チルトプレート
５０  ねじ穴
５１  軸ねじ
５２  ガイドピン
６１  コードブッシング
６２  相手部材
６３  取付穴
６４  内側鍔部
６５  胴部
６６  外側鍔部
６６ａ  環状リップ部
６７  貫通穴
６７ａ  コード密着部
６８  環状溝部
６９  コード
７０  水滴
【図１】
0004040294.tif 000002
【図２】
0004040294.tif 000003
【図３】
0004040294.tif 000004
【図４】
0004040294.tif 000005
【図５】
0004040294.tif 000006
【図６】
0004040294.tif 000007